【手続補正書】
【提出日】平成16年10月22日(2004.10.22)
【手続補正１】
【補正対象書類名】明細書
【補正対象項目名】特許請求の範囲
【補正方法】変更
【補正の内容】
【特許請求の範囲】
【請求項１】
固形廃棄物をガス化した後に高温燃焼により廃棄物中の灰分を溶融スラグ化する方法において、固形廃棄物をガス化工程に供給する前に脱水し、脱水された固形廃棄物をガス化及び高温燃焼して灰分を溶融したのちの高温の燃焼排ガス中に前記脱水した水分を噴霧することを特徴とする固形廃棄物の溶融処理方法。
【請求項２】
固形廃棄物をガス化した後に高温燃焼により廃棄物中の灰分を溶融スラグ化する方法において、固形廃棄物をガス化工程に供給する前に脱水し、脱水された固形廃棄物をガス化及び高温燃焼して灰分を溶融することを特徴とする固形廃棄物の溶融処理方法。
【請求項３】
固形廃棄物をガス化した後に高温で廃棄物中の灰分を溶融スラグ化する方法において、該固形廃棄物をガス化工程に供給する前に脱水し、脱水された該固形廃棄物をガス化及び高温で灰分を溶融したのちの高温のガス中に前記脱水した水分を供給することを特徴とする固形廃棄物の溶融処理方法。
【請求項４】
固形廃棄物をガス化した後に高温で熱分解する方法において、該固形廃棄物をガス化工程に供給する前に脱水し、脱水された該固形廃棄物をガス化及び高温で熱分解したのちの高温のガス中に前記脱水した水分を供給することを特徴とする固形廃棄物の溶融処理方法。
【請求項５】
固形廃棄物をガス化した後に高温で熱分解する方法において、該固形廃棄物をガス化工程に供給する前に脱水し、脱水された該固形廃棄物はガス化および高温で熱分解し、前記脱水により得られる水分は間接加熱により水分を蒸発させ、前記脱水により得られる水分及び／又は該間接加熱により発生する蒸気は高温で熱分解後の高温ガス中に供給することを特徴とする固形廃棄物の溶融処理方法。
【請求項６】
固形廃棄物をガス化した後に高温燃焼により廃棄物中の灰分を溶融スラグ化する方法において、該固形廃棄物をガス化工程に供給する前に脱水し、脱水された該固形廃棄物はガス化および高温燃焼して灰分を溶融し、前記脱水により得られる水分は間接加熱により水分を蒸発させ、前記脱水により得られる水分及び／又は該間接加熱により発生する蒸気は高温燃焼後の高温排ガス中に供給することを特徴とする固形廃棄物の溶融処理方法。
【請求項７】
前記脱水は先端に行くに従って直径が小さくなるテーパ形状のスクリュウコンベヤを使用する圧搾工程により行うことを特徴とする請求項１乃至６のいずれか１項に記載の固形廃棄物の溶融処理方法。
【請求項８】
前記ガス化工程は流動層ガス化炉により行うことを特徴とする請求項１乃至７のいずれか１項に記載の固形廃棄物の溶融処理方法。
【請求項９】
前記脱水を行う工程においては、前記高温燃焼の温度を検知して、燃焼温度がほぼ一定になるように脱水率を制御することを特徴とする請求項１乃至６のいずれか１項に記載の固形廃棄物の溶融処理方法。
【請求項１０】
前記間接加熱は、ガス化した後に高温で熱分解した後のガスの熱あるいはガス化した後に高温で熱分解する際に排出される固形物の保有熱により加熱することを特徴とする請求項５又は６に記載の固形廃棄物の溶融処理方法。
【請求項１１】
前記間接加熱は、ボイラで発生した蒸気を用いて加熱し、間接加熱により水分を蒸発し、濃縮あるいは乾燥した残留脱水液中の固形分は前記固形廃棄物あるいは前記ガス化工程に戻されることを特徴とする請求項５又は６又は１０に記載の固形廃棄物の溶融処理方法。
【手続補正２】
【補正対象書類名】明細書
【補正対象項目名】０００５
【補正方法】変更
【補正の内容】
【０００５】
【課題を解決するための手段】
上述した課題を解決するために、本発明の１態様は、固形廃棄物をガス化した後に高温燃焼により廃棄物中の灰分を溶融スラグ化する方法において、固形廃棄物をガス化工程に供給する前に脱水し、脱水された固形廃棄物をガス化及び高温燃焼して灰分を溶融したのちの高温の燃焼排ガス中に前記脱水した水分を噴霧することを特徴とするものである。また、前記脱水した水分を間接加熱することにより発生する蒸気を供給して分解処理してもよい。
【手続補正３】
【補正対象書類名】明細書
【補正対象項目名】０００９
【補正方法】変更
【補正の内容】
【０００９】
また、固形廃棄物をガス化した後にさらに高温でガス化する方法において、該固形廃棄物をガス化工程に供給する前に脱水し、脱水された該固形廃棄物をガス化及び高温でガス化してもよい。
【手続補正４】
【補正対象書類名】明細書
【補正対象項目名】００１０
【補正方法】変更
【補正の内容】
【００１０】
本発明の１態様は、固形廃棄物をガス化した後に高温で廃棄物中の灰分を溶融スラグ化する方法において、該固形廃棄物をガス化工程に供給する前に脱水し、脱水された該固形廃棄物をガス化及び高温で灰分を溶融したのちの高温のガス中に前記脱水した水分を供給することを特徴とするものである。
【手続補正５】
【補正対象書類名】明細書
【補正対象項目名】００１１
【補正方法】変更
【補正の内容】
【００１１】
本発明の１態様は、固形廃棄物をガス化した後に高温で熱分解する方法において、該固形廃棄物をガス化工程に供給する前に脱水し、脱水された該固形廃棄物をガス化及び高温で熱分解したのちの高温のガス中に前記脱水した水分を供給することを特徴とするものである。
【手続補正６】
【補正対象書類名】明細書
【補正対象項目名】００１２
【補正方法】変更
【補正の内容】
【００１２】
本発明の１態様は、固形廃棄物をガス化した後に高温で熱分解する方法において、該固形廃棄物をガス化工程に供給する前に脱水し、脱水された該固形廃棄物はガス化および高温で熱分解し、前記脱水により得られる水分は間接加熱により水分を蒸発させ、前記脱水により得られる水分及び／又は該間接加熱により発生する蒸気は高温で熱分解後の高温ガス中に供給することを特徴とするものである。
【手続補正７】
【補正対象書類名】明細書
【補正対象項目名】００１３
【補正方法】変更
【補正の内容】
【００１３】
本発明の１態様は、固形廃棄物をガス化した後に高温燃焼により廃棄物中の灰分を溶融スラグ化する方法において、該固形廃棄物をガス化工程に供給する前に脱水し、脱水された該固形廃棄物はガス化および高温燃焼して灰分を溶融し、前記脱水により得られる水分は間接加熱により水分を蒸発させ、前記脱水により得られる水分及び／又は該間接加熱により発生する蒸気は高温燃焼後の高温排ガス中に供給することを特徴とするものである。
また、前記脱水は先端に行くに従って直径が小さくなるテーパ形状のスクリュウコンベヤを使用する圧搾工程により行うことを特徴とする。
また、前記ガス化工程は流動層ガス化炉により行うことを特徴とする。
また、前記脱水を行う工程においては、前記高温燃焼の温度を検知して、燃焼温度がほぼ一定になるように脱水率を制御することを特徴とする。
また、前記間接加熱は、ガス化した後に高温で熱分解した後のガスの熱あるいはガス化した後に高温で熱分解する際に排出される固形物の保有熱により加熱することを特徴とする。
また、前記間接加熱は、ボイラで発生した蒸気を用いて加熱し、間接加熱により水分を蒸発し、濃縮あるいは乾燥した残留脱水液中の固形分は前記固形廃棄物あるいは前記ガス化工程に戻されることを特徴とする。
また、前記固形廃棄物の脱水を行う装置は、当該固形廃棄物のガス化工程への供給装置の一部であってもよい。
また、前記高温燃焼により灰分を溶融するまでの段階の空気比を１近傍とし、前記脱水した水分を噴霧する工程で完全燃焼に必要な総燃焼空気比１．３〜１．６となるように空気比０．３〜０．６の空気量を同時に供給してもよい。
また、前記脱水装置は、ガス化炉に直結し、脱水し円筒状になった廃棄物を先端部で解砕してそのままガス化工程に供給してもよい。